(57)【要約】【課題】  折り畳み式のフロントプロジェクション及びレアプロジェクション両用テレビ及びレアプロジェクションテレビの運送方法の提供。【解決手段】  本発明のプロジェクションテレビは基本的に折り畳み可能なケースとプロジェクタユニットで構成される。該ケースに折り畳み式プロジェクションディスプスプレイとスピーカが設けられ、背面に折り畳み式の収容体が設けられ、収容体がプロジェクタユニット及び関係光学装置の配置空間とされ、これによりプロジェクタユニットがケース内部に置かれてレアプロジェクション型とされるかケース外部に置かれてフロントプロジェクション型とされる両用テレビが構成され、並びにケースが折り畳まれて運搬、収納に便利とされる。【選択図】        図４
2006227088.tif 000002
【特許請求の範囲】
【請求項１】
折り畳み式のフロントプロジェクション及びレアプロジェクション両用テレビにおいて、
プロジェクションテレビが光学投射映像を発生するための装置である着脱式のプロジェクタユニットと、
プロジェクションディスプレイと少なくとも一つのスピーカを具え、背面に折り畳み或いは展開可能な収容体が設けられ、該収容体がプロジェクタユニット及び関係光学装置の配置空間とされるケースと、
該プロジェクタユニットと光学装置がケースの収容体内部に挿入される時、映像をプロジェクションディスプレイの背面に投射でき、プロジェクタユニットがケースの前方に設置される時、映像をプロジェクションディスプレイの正面に投射できることを特徴とする、折り畳み式のフロントプロジェクション及びレアプロジェクション両用テレビ。
【請求項２】
請求項１記載の折り畳み式のフロントプロジェクション及びレアプロジェクション両用テレビにおいて、ケースの前カバー板の四つの辺面に前カバー板に向けて折り畳まれる側板、カバー板、及び底板が接続され、別にカバー板及び底板の後端に背板が枢設されて折り畳み及び展開可能なケースが構成されたことを特徴とする、折り畳み式のフロントプロジェクション及びレアプロジェクション両用テレビ。
【請求項３】
請求項１記載の折り畳み式のフロントプロジェクション及びレアプロジェクション両用テレビにおいて、ケースにスロットが設けられ、該スロットにケースの内側と外側で対応する複数のコネクタと位置決め部が設けられてプロジェクタユニットとスピーカのケース内部での位置決めに供されるほか、該コネクタが電源及び映像信号の接続に供されることを特徴とする、折り畳み式のフロントプロジェクション及びレアプロジェクション両用テレビ。
【請求項４】
請求項１記載の折り畳み式のフロントプロジェクション及びレアプロジェクション両用テレビにおいて、プロジェクションディスプレイが着脱式とされ、ケースの前方に着脱自在に設置されたことを特徴とする、折り畳み式のフロントプロジェクション及びレアプロジェクション両用テレビ。
【請求項５】
請求項１記載の折り畳み式のフロントプロジェクション及びレアプロジェクション両用テレビにおいて、プロジェクションディスプレイが折り畳み、巻取り可能な材料で形成されたことを特徴とする、折り畳み式のフロントプロジェクション及びレアプロジェクション両用テレビ。
【請求項６】
請求項２記載の折り畳み式のフロントプロジェクション及びレアプロジェクション両用テレビにおいて、側板が複数の直板体が接続されたアコーディオン状の伸縮形態とされたことを特徴とする、折り畳み式のフロントプロジェクション及びレアプロジェクション両用テレビ。
【請求項７】
請求項２記載の折り畳み式のフロントプロジェクション及びレアプロジェクション両用テレビにおいて、背板のカバー板と接続される上半部セクションがアコーディオン状の伸縮形態とされたことを特徴とする、折り畳み式のフロントプロジェクション及びレアプロジェクション両用テレビ。
【請求項８】
請求項１記載の折り畳み式のフロントプロジェクション及びレアプロジェクション両用テレビにおいて、光学装置が着脱式とされて、少なくとも一つの反射鏡を具えたことを特徴とする、折り畳み式のフロントプロジェクション及びレアプロジェクション両用テレビ。
【請求項９】
レアプロジェクションテレビの運送方法において、
Ａ．レアプロジェクションテレビの構成装置をモジュール化ユニットとなし、このモジュール化ユニットは、着脱式のプロジェクタユニット、スピーカ、光学装置、及び展開或いは折り畳み可能なケースを包含するものとするステップ、
Ｂ．着脱式のプロジェクタユニット、スピーカ及び光学装置をケースより取り出すステップ、
Ｃ．ケース折り畳み後に、前述のプロジェクタユニット、スピーカ及び光学装置と包装、固定するステップ、
を具えたことを特徴とする、レアプロジェクションテレビの運送方法。
【請求項１０】
請求項９記載のレアプロジェクションテレビの運送方法において、ケースが前カバー板、着脱式のプロジェクションディスプレイ、前カバー板に向けて折り畳み可能な側板、カバー板及び底板を具え、ケース背部に折り畳み及び引き伸ばし可能な背板を具えたことを特徴とする、レアプロジェクションテレビの運送方法。
【請求項１１】
請求項９記載のレアプロジェクションテレビの運送方法において、光学装置が少なくとも一つの反射鏡を具えたことを特徴とする、レアプロジェクションテレビの運送方法。
【請求項１２】
請求項９記載のレアプロジェクションテレビの運送方法において、プロジェクションディスプレイが折り畳み、巻取り可能な材料で形成されたことを特徴とする、レアプロジェクションテレビの運送方法。
【発明の詳細な説明】
【技術分野】
【０００１】
本発明はプロジェクションテレビの構造に係り、特に、ケース内部より映像をプロジェクションディスプレイの背面に投射するか、或いはケース外部より映像をプロジェクションディスプレイ正面に投射できる両用プロジェクションテレビであって、特に、ケースが折り畳めてプロジェクションテレビの運搬、収納に便利とされた構造に関する。
【背景技術】
【０００２】
一般に会議室或いは家庭で応用されるフロントプロジェクション（ＦＰ）視聴設備は、映像信号がプロジェクタに接続され、プロジェクタにより映像信号が変換されて光学投射映像とされ、並びに特定距離にあるディスプレイがプロジェクタの投射した映像を現出し、光学映像の拡大の作用により、大スクリーンの映像表現効果を達成する。
【０００３】
また、フロントプロジェクション（ＦＰ）視聴設備は実際の使用時に、プロジェクタとディスプレイの間の映像投射を阻止しうる物体を排除しなければ、完全な映像をディスプレイに表示できず、使用上、多くの制限が形成される。このため市場には光学映像装置をケース内部に組み込んだプロジェクションテレビ（或いはレアプロジェクションテレビ）が出現しており、それはケースの正面にプロジェクションディスプレイが設置され、ケース内部の空間を通し、光学映像の投射距離を延伸し、大スクリーン表現効果を達成する。
【０００４】
プロジェクションテレビは光学映像の投射経路がケース内に制限され、良好な映像表現効果を獲得でき、且つプロジェクションテレビは全ての電気回路がケース内部に整合され、フロントプロジェクション視聴設備のように使用時に信号線が視聴場所を跨ぐ情況を発生せず、このためプロジェクションテレビは次第にフロントプロジェクション視聴設備に取って代わっている。しかし、周知のプロジェクションテレビはケース、光学映像装置が整合されて変動不可の固定構造形態とされ、且つケースの体積と現出する映像サイズは正比例し、このため全体のプロジェクションテレビは体積が大きく、重くなり、運送が容易でなくなり、且つ未使用時も使用時と同様に相当な室内空間を占拠する。
【０００５】
更に、市場のプラズマテレビ或いは伝統的な陰極線管（ＣＲＴ）テレビもそのサイズが増され、大スクリーンの映像表現効果を達成しているが、映像のサイズが４０インチを超えると、全体のプラズマテレビ或いは伝統的なＣＲＴテレビは更に重くなり、且つ製造価格も高くなり、一般家庭に受け入れられなくなる。
【発明の開示】
【発明が解決しようとする課題】
【０００６】
本発明はケース内部より映像をプロジェクションディスプレイの背面に投射するか、或いはケース外部より映像をプロジェクションディスプレイ正面に投射できる両用プロジェクションテレビであって、特に、ケースが折り畳めてプロジェクションテレビの運搬、収納に便利とされた一種の折り畳み式のフロントプロジェクション及びレアプロジェクション両用テレビ及びレアプロジェクションテレビの運送方法を提供することを目的としている。
【課題を解決するための手段】
【０００７】
請求項１の発明は、折り畳み式のフロントプロジェクション及びレアプロジェクション両用テレビにおいて、
プロジェクションテレビが光学投射映像を発生するための装置である着脱式のプロジェクタユニットと、
プロジェクションディスプレイと少なくとも一つのスピーカを具え、背面に折り畳み或いは展開可能な収容体が設けられ、該収容体がプロジェクタユニット及び関係光学装置の配置空間とされるケースと、
該プロジェクタユニットと光学装置がケースの収容体内部に挿入される時、映像をプロジェクションディスプレイの背面に投射でき、プロジェクタユニットがケースの前方に設置される時、映像をプロジェクションディスプレイの正面に投射できることを特徴とする、折り畳み式のフロントプロジェクション及びレアプロジェクション両用テレビとしている。
請求項２の発明は、請求項１記載の折り畳み式のフロントプロジェクション及びレアプロジェクション両用テレビにおいて、ケースの前カバー板の四つの辺面に前カバー板に向けて折り畳まれる側板、カバー板、及び底板が接続され、別にカバー板及び底板の後端に背板が枢設されて折り畳み及び展開可能なケースが構成されたことを特徴とする、折り畳み式のフロントプロジェクション及びレアプロジェクション両用テレビとしている。
請求項３の発明は、請求項１記載の折り畳み式のフロントプロジェクション及びレアプロジェクション両用テレビにおいて、ケースにスロットが設けられ、該スロットにケースの内側と外側で対応する複数のコネクタと位置決め部が設けられてプロジェクタユニットとスピーカのケース内部での位置決めに供されるほか、該コネクタが電源及び映像信号の接続に供されることを特徴とする、折り畳み式のフロントプロジェクション及びレアプロジェクション両用テレビとしている。
請求項４の発明は、請求項１記載の折り畳み式のフロントプロジェクション及びレアプロジェクション両用テレビにおいて、プロジェクションディスプレイが着脱式とされ、ケースの前方に着脱自在に設置されたことを特徴とする、折り畳み式のフロントプロジェクション及びレアプロジェクション両用テレビとしている。
請求項５の発明は、請求項１記載の折り畳み式のフロントプロジェクション及びレアプロジェクション両用テレビにおいて、プロジェクションディスプレイが折り畳み、巻取り可能な材料で形成されたことを特徴とする、折り畳み式のフロントプロジェクション及びレアプロジェクション両用テレビとしている。
請求項６の発明は、請求項２記載の折り畳み式のフロントプロジェクション及びレアプロジェクション両用テレビにおいて、側板が複数の直板体が接続されたアコーディオン状の伸縮形態とされたことを特徴とする、折り畳み式のフロントプロジェクション及びレアプロジェクション両用テレビとしている。
請求項７の発明は、請求項２記載の折り畳み式のフロントプロジェクション及びレアプロジェクション両用テレビにおいて、背板のカバー板と接続される上半部セクションがアコーディオン状の伸縮形態とされたことを特徴とする、折り畳み式のフロントプロジェクション及びレアプロジェクション両用テレビとしている。
請求項８の発明は、請求項１記載の折り畳み式のフロントプロジェクション及びレアプロジェクション両用テレビにおいて、光学装置が着脱式とされて、少なくとも一つの反射鏡を具えたことを特徴とする、折り畳み式のフロントプロジェクション及びレアプロジェクション両用テレビとしている。
請求項９の発明は、レアプロジェクションテレビの運送方法において、
Ａ．レアプロジェクションテレビの構成装置をモジュール化ユニットとなし、このモジュール化ユニットは、着脱式のプロジェクタユニット、スピーカ、光学装置、及び展開或いは折り畳み可能なケースを包含するものとするステップ、
Ｂ．着脱式のプロジェクタユニット、スピーカ及び光学装置をケースより取り出すステップ、
Ｃ．ケース折り畳み後に、前述のプロジェクタユニット、スピーカ及び光学装置と包装、固定するステップ、
を具えたことを特徴とする、レアプロジェクションテレビの運送方法としている。
請求項１０の発明は、請求項９記載のレアプロジェクションテレビの運送方法において、ケースが前カバー板、着脱式のプロジェクションディスプレイ、前カバー板に向けて折り畳み可能な側板、カバー板及び底板を具え、ケース背部に折り畳み及び引き伸ばし可能な背板を具えたことを特徴とする、レアプロジェクションテレビの運送方法としている。
請求項１１の発明は、請求項９記載のレアプロジェクションテレビの運送方法において、光学装置が少なくとも一つの反射鏡を具えたことを特徴とする、レアプロジェクションテレビの運送方法としている。
請求項１２の発明は、請求項９記載のレアプロジェクションテレビの運送方法において、プロジェクションディスプレイが折り畳み、巻取り可能な材料で形成されたことを特徴とする、レアプロジェクションテレビの運送方法としている。
【発明の効果】
【０００８】
本発明の折り畳み式のフロントプロジェクション及びレアプロジェクション両用テレビ及びレアプロジェクションテレビの運送方法は、単独で運転できるプロジェクタユニットが全体のプロジェクションテレビの光学投射映像を発生する装置とされ、及び、折り畳んで収納でき或いは展開されて固定クローズ形態を形成してプロジェクタユニットと関係光学装置の配置空間を提供するケースを具えている。
【０００９】
ゆえに、プロジェクタユニット及び関係光学装置が展開されたケース内部に挿入され、ケース内部より映像をプロジェクションディスプレイ背面に投射するか、或いはプロジェクタユニットをケース前方に置いて、ケース外部より映像をプロジェクションディスプレイ正面に投射する方式で使用できる。
【００１０】
特に、プロジェクションテレビを不使用の時、ケース内部のプロジェクタユニットを取り出し、並びにケースを折り畳むことで、ケースの運搬と収納に便利である。
【００１１】
このほか、プロジェクションテレビの構成装置がモジュール化されたユニットを形成し、また市販の任意のレアプロジェクションテレビに適用可能であり、特に大量製造生産及び分解、運送に有利で、大幅に製造コスト、ストック及び運送のコストを下げることができる。
【発明を実施するための最良の形態】
【００１２】
本発明の折り畳み式のフロントプロジェクション及びレアプロジェクション両用テレビは、その全体のプロジェクションテレビの基本構造が、図１及び図２に示されるようであり、それは単独使用可能なプロジェクタユニット１０が全体のプロジェクションテレビの光学投射映像を発生する装置とされ、及び、折り畳み可能なケース２０が、プロジェクタユニット１０、スピーカ３０及び関係光学装置１１を収容する機械構造主体とされる。
【００１３】
図１、２、及び図３を参照されたい。前述のケース２０はその正面位置に着脱式のプロジェクションディスプレイ２１を具え、ケース２０の背面に折り畳むか或いは展開して固定クローズ形態とされる収容体が設けられ、収容体はプロジェクタユニット１０及び関係光学装置１１の配置空間を提供する。
【００１４】
具体的な実施時において、ケース２０の前カバー板２２にプロジェクションディスプレイ２１が配置され、前カバー板２２の四つの辺面に前カバー板２２に向けて折り畳み可能な側板２３、カバー板２４及び底板２５が設けられ、別にカバー板２４と底板２５の後端に背板２６が枢設され、側板２３、カバー板２４、底板２５及び前カバー板２２の間はヒンジで接続され、相互に折り畳み可能な特性を具備する。
【００１５】
また、側板２３は複数の直板体２３１が接続されたアコーディオン状の伸縮形態を呈し、且つ背板２６のカバー板２４と接続された上半部セクションもアコーディオン状の伸縮形態とされる。当然、背板２６のカバー板２４と接続されるセクションは溝の案内を受ける折り畳み板体とされることも可能で、同様に折り畳みの効果を有する。このほか、図１から図３に示される実施例中、関係光学装置１１は反射鏡を具え、該反射鏡は着脱式とされる。
【００１６】
ゆえに、図１と図２に示されるように展開して固定クローズ形態のケース２０構造とされるか、或いは図４及び図５に示されるように、ケース２０が折り畳まれて運搬或いは収納に便利な形態とされる。特に、全体のプロジェクションテレビを使用する時には、図２に示されるように、プロジェクタユニット１０及び反射鏡で構成された光学装置１１が展開されたケース２０内部に置かれ、ケース２０内部より映像がプロジェクションディスプレイ２１の背面に投射される方式で使用され、こうしてレアプロジェクションテレビが形成される。
【００１７】
図５に示されるように、プロジェクションテレビ不使用時には、ケース２０内部のプロジェクタユニット１０及びスピーカ３０が取り出され、並びに前述のケース２０のプロジェクションディスプレイ２１、前カバー板２２、側板２３、カバー板２４、底板２５及び背板２６が折り畳まれ、ケース２０の運搬及び収納に便利とされる。このほか、前述の着脱式のプロジェクションディスプレイ２１は製造時に折り畳み可能或いは巻取り可能な材料で製造可能で、これによりその収納時の体積を縮小でき、並びにケースに関係留め具が設けられて折り畳み完成したケースを固定するのに供され、これによりケースの運搬に便利とされる。
【００１８】
図６に示されるようにプロジェクタユニット１０を取り出して使用する時は、プロジェクタユニット１０をケース２０の前方に置き、ケース２０外部より映像をプロジェクションディスプレイ２１の正面に投射してフロントプロジェクションテレビを形成し、これにより視聴環境の実際の必要に応じて使用できる。図６の実施例中、スピーカ３０もケース２０外部に置かれている。
【００１９】
このほか、図７に示されるように、全体のプロジェクションテレビはプロジェクタユニット１０及び光学装置１１がケース２０内部に置かれて使用される時、複数の反射鏡形式の光学装置１１の利用により映像をプロジェクションディスプレイ２１に反射する方式で映像光束の投射距離及びサイズを増すことができる。
【００２０】
更に、図１及び図２に示されるように、本発明のプロジェクションテレビはスピーカ３０等の視聴器材と結合して使用され、そのケース２０は前カバー板２２にプロジェクタユニット１０の架設に便利な扉２８１が設けられているほか、スピーカ３０をケース２０内部に置いて使用する場合に合わせて前カバー板２２に放音孔２８２が設けられている。
【００２１】
また、ケース２０の所定位置（図示されるように前カバー板２２部分）にスロット２７が設けられ、該スロット２７にケースの内側と外側において対応する複数のコネクタ２７１と位置決め部が設けられ、プロジェクタユニット１０及びスピーカ３０をケース２０内部に取り付ける時の位置決めと、コネクタ２７１による電源及び映像信号の接続に供される。
【００２２】
また、本発明の設計はフロントプロジェクション及びレアプロジェクション両用テレビとされるほか、そのモジュール化設計により、運送と取り付けに便利であり、且つ市販の任意のレアプロジェクションテレビに適用可能であり、その方法は以下のとおりである。
１．レアプロジェクションテレビの構成装置がモジュール化されたユニットに形成され、このモジュール化ユニットは少なくとも以下を包含する。即ち、前述の着脱式のプロジェクタユニット１０、スピーカ３０、光学装置１１、及び折り畳み或いは展開可能なケース２０である。
２．着脱式のプロジェクタユニット１０、スピーカ３０及び光学装置１１をケース２０内より取り出せる。
３．ケース２０折り畳み後に前述のプロジェクタユニット１０、スピーカ３０、及び光学装置１１と包装、固定できる。
【００２３】
本実施例中、展開或いは折り畳み可能なケース２０は前述したように、前カバー板２２、着脱式のプロジェクションディスプレイ２１、前カバー板２２に向けて折り畳める側板２３、カバー板２４及び底板２５に区分され、並びに背部に折り畳み及び引き伸ばし可能な背板２６が設けられ、以上によりケース２０構造が構成されている。
【００２４】
その他の例えば着脱式の光学装置１１は少なくとも一つの反射鏡を具え、プロジェクションディスプレイ２１は折り畳み或いは巻取り可能な材料で構成され、着脱に便利な実施方式とされる。
【００２５】
以上の実施例は本発明の範囲を限定するものではなく、本発明に基づきなしうる細部の修飾或いは改変は、いずれも本発明の請求範囲に属するものとする。
【図面の簡単な説明】
【００２６】
【図１】本発明のプロジェクションテレビの外観図である。
【図２】本発明のプロジェクタユニットケース内部に置かれた使用状態表示図である。
【図３】本発明中、ケースの分解図である。
【図４】本発明中、ケースの折り畳み状態の断面図である。
【図５】本発明中、ケースの折り畳み完成時の断面図である。
【図６】本発明のプロジェクタユニットがケース外部に置かれた使用状態表示図である。
【図７】本発明のプロジェクタユニットがケース内部に置かれたもう一つの使用状態表示図である。
【符号の説明】
【００２７】
１０  プロジェクタユニット
１１  光学装置
２０  ケース
２１  プロジェクションディスプレイ
２２  前カバー板
２３  側板
２３１  直板体
２４  カバー板
２５  底板
２６  背板
２７  スロット
２７１  コネクタ
２８１  扉
２８２  放音孔
３０  スピーカ
【図１】
2006227088.tif 000003
【図２】
2006227088.tif 000004
【図３】
2006227088.tif 000005
【図４】
2006227088.tif 000006
【図５】
2006227088.tif 000007
【図６】
2006227088.tif 000008
【図７】
2006227088.tif 000009